(57)【要約】【課題】本発明は自動的にクリーニング可能なｌｅｄライトを開示した。【解決手段】天井板及び前記天井板の上端面に固定的に設置されたクリーニング箱を含み、前記天井板の中にはＬＥＤライトが固定的に設置され、前記クリーニング箱の中には押しチャンバが設置され、前記押しチャンバの中にはスプレー装置が設置され、前記スプレー装置の中は伸び出し機構を含み、前記伸び出し機構は前記押しチャンバの頂壁に回転できるように設置された中空軸を含み、前記中空軸の下端には第一プーリが固定的に設置され、本装置を始動した後にライトを自動的にクリーニングでき、そのクリーニング過程は完全に自動的であり、クリーニング効率を大いに高め、ライトの位置が高すぎるためにクリーニングしにくい問題を避け、また人がクリーニングする時には感電や転倒などの発生を避ける。【選択図】図１
2020175368.tif 000002
【特許請求の範囲】
【請求項１】
正面視で、天井板及び前記天井板の上端面に固定的に設置されたクリーニング箱を含み、前記天井板の中にはＬＥＤライトが固定的に設置され、前記クリーニング箱の中には押しチャンバが設置され、前記押しチャンバの中にはスプレー装置が設置され、前記スプレー装置の中は伸び出し機構を含み、前記伸び出し機構は前記押しチャンバの頂壁に回転できるように設置された中空軸を含み、前記中空軸の下端には第一プーリが固定的に設置され、前記第一プーリの中には親ねじがネジ山によって連結され、前記天井板の中には上下に貫通している抜き穴が設置され、前記親ねじの下端には前記抜き穴の内壁とスライドできるように連結された固定枠が固定的に設置され、前記スプレー装置の中はまた容器機構を含み、前記容器機構の中は気球とクリーニング液箱とを含み、前記スプレー装置の中はまた押し機構を含み、前記押し機構が前記気球を押して前記クリーニング液箱の中のクリーニング液を噴射し、前記クリーニング箱の中には変位チャンバが設置され、前記変位チャンバの中には拭い装置が設置され、前記拭い装置の中は変位機構を含み、前記クリーニング箱の中には切換チャンバが設置され、前記切換チャンバの中には動力装置が設置され、前記動力装置が前記変位機構を駆動し、それによって前記拭い装置を連動させてＬＥＤライトを拭うことを特徴とする自動的にクリーニング可能なｌｅｄライト。
【請求項２】
前記容器機構は前記固定枠の前端面に固定的に設置された前記クリーニング液箱を含み、前記クリーニング液箱の中にはクリーニング液チャンバが設置され、前記クリーニング液箱の左側端面には連通パイプが固定的に設置され、前記連通パイプと前記クリーニング液チャンバとが連通しており、前記連通パイプと前記クリーニング液チャンバとの連通したところには上逆止め弁が固定的に設置され、前記連通パイプの左端には前記気球が連通するように設置され、前記気球には一方向吸気弁が設置され、前記クリーニング液箱の下端面にはスプレー管が固定的に設置され、前記スプレー管と前記クリーニング液チャンバとが連通しており、前記スプレー管と前記クリーニング液チャンバとの連通したところには下逆止め弁が固定的に設置されており、
前記押し機構は前記押しチャンバの後壁に固定的に設置された下板を含み、前記下板の中には上方に開口したばねチャンバが設置され、前記ばねチャンバの中には切換ブロックがスライドできるように設置され、前記切換ブロックの下端面と前記ばねチャンバの底壁との間が復帰ばねによって固定的に連結され、前記押しチャンバの左側内壁には第一スライド溝が設置され、前記第一スライド溝の中には第一スライドブロックがスライドできるように設置され、前記第一スライドブロックの下端面と前記第一スライド溝の底壁との間が第一ばねによって固定的に連結され、前記第一スライドブロックの右側端面には上板が固定的に設置され、前記上板の中には下方に開口した緩衝チャンバが設置され、前記緩衝チャンバの中には緩衝板がスライドできるように設置され、前記緩衝板の上端面と前記緩衝チャンバの頂壁との間が緩衝ばねによって固定的に連結され、前記緩衝ばねを圧縮することに所要の力は前記復帰ばねを圧縮することに所要の力より大きく、前記押しチャンバの左側内壁にはカム軸が回転できるように設置され、前記カム軸には第二プーリが固定的に設置され、前記カム軸の右端にはカムが固定的に設置され、前記カムが前記上板の上端面と当接していることを特徴とする請求項１に記載の自動的にクリーニング可能なｌｅｄライト。
【請求項３】
前記拭い装置は天井板の中に上下に貫通するように設置された連通溝を含み、前記連通溝の中には拭い枠がスライドできるように設置され、前記拭い枠の上側が前記変位チャンバの中に伸びており、前記拭い枠の下方枠の上端面にはスポンジが固定的に設置され、前記天井板の下端面には前後対称的に設置された封止板溝が設置され、前記封止板溝が前記天井板を貫通しており、前記拭い枠の下側端面には封止板が前後対称的に固定的に設置され、前記封止板が前記封止板溝の中に位置しており、
前記変位機構は前記変位チャンバの両側内壁に回転できるように設置されたネジロッドを含み、前記ネジロッドには変位ブロックがネジ山によって連結され、前記変位ブロックの下端面の中には第一液圧シリンダーが固定的に設置され、前記第一液圧シリンダーの下端には第一液圧ロッドが動力が伝達できるように連結され、前記第一液圧ロッドの下端と前記拭い枠の上端面とが固定的に連結され、前記ネジロッドの右端が前記切換チャンバの中に伸びており、前記切換チャンバの中には前記ネジロッドの右端に固定的に連結された下ギヤが設置されていることを特徴とする請求項１に記載の自動的にクリーニング可能なｌｅｄライト。
【請求項４】
前記動力装置は前記切換チャンバの頂壁に設置された第二スライド溝を含み、前記第二スライド溝の中には切換スライドブロックがスライドできるように設置され、前記切換スライドブロックと前記第二スライド溝の左側内壁との間が第二ばねによって固定的に連結され、前記切換スライドブロックの下端面には定位板が固定的に設置され、前記定位板の右側端面には副斜めブロックが固定的に設置され、前記切換スライドブロックの下端面には斜めブロック板が固定的に設置され、前記斜めブロック板の右側端面には協働斜めブロックが固定的に設置され、前記切換チャンバの後壁には第三スライド溝が設置され、前記第三スライド溝の中には主斜めブロックがスライドできるように設置され、前記主斜めブロックの下端面と前記副斜めブロックの上端面とが当接しており、前記主斜めブロックの下端面には固定ブロックが固定的に設置され、前記固定ブロックの左側端面の中にはモーターが固定的に設置され、前記モーターの動力軸の左端には主ギヤが固定的に設置されており、
前記切換ブロックの左側端面には切換ロッドが固定的に連結され、前記切換ロッドの右端が前記切換チャンバの中に伸びており、前記切換チャンバの中には前記切換ロッドの上端に固定的に連結された下固定板が設置され、前記下固定板の上端面には復帰押しロッドが固定的に設置され、前記復帰押しロッドの上端と前記主斜めブロックの下端面と当接しており、前記下固定板の上端面には連結ロッドが固定的に設置され、前記連結ロッドの左側端面には押圧斜めブロックが固定的に設置され、前記押圧斜めブロックと前記協働斜めブロックとが当接しており、前記切換チャンバの左側内壁には伝動軸が回転できるように設置され、前記伝動軸には主プーリが固定的に設置され、前記主プーリと前記第二プーリとがベルトによって連結され、前記主プーリと前記第一プーリとがベルトによって連結されており、
前記切換チャンバの右側内壁には第二液圧シリンダーが固定的に設置され、前記第二液圧シリンダーの上端には第二液圧ロッドが動力が伝達できるように連結され、前記第二液圧ロッドの上端には押しブロックが固定的に設置されていることを特徴とする請求項１に記載の自動的にクリーニング可能なｌｅｄライト。
【発明の詳細な説明】
【技術分野】
【０００１】
本発明はＬＥＤ灯具分野に関わり、具体的には自動的にクリーニング可能なｌｅｄライトである。
【背景技術】
【０００２】
ＬＥＤライトは高級な室内の照明ライトであり、このライトは一般的に天井に吊り下がるため、位置が高く、人によってクリーニングするのはかなり苦労し、且つ危険が発生しやすく、この欠点に対して、本装置を提出した。
【先行技術文献】
【特許文献】
【０００３】
【特許文献１】中国特許出願公開第１０７２４６５７３号明細書
【発明の概要】
【発明が解決しようとする課題】
【０００４】
上記技術の不足に対して、本発明は自動的にクリーニング可能なｌｅｄライトを提供し、それは上記の欠点を解消できる。
【課題を解決するための手段】
【０００５】
本発明の自動的にクリーニング可能なｌｅｄライトは、天井板及び前記天井板の上端面に固定的に設置されたクリーニング箱を含み、前記天井板の中にはＬＥＤライトが固定的に設置され、前記クリーニング箱の中には押しチャンバが設置され、前記押しチャンバの中にはスプレー装置が設置され、前記スプレー装置の中は伸び出し機構を含み、前記伸び出し機構は前記押しチャンバの頂壁に回転できるように設置された中空軸を含み、前記中空軸の下端には第一プーリが固定的に設置され、前記第一プーリの中には親ねじがネジ山によって連結され、前記天井板の中には上下に貫通している抜き穴が設置され、前記親ねじの下端には前記抜き穴の内壁とスライドできるように連結された固定枠が固定的に設置され、前記スプレー装置の中はまた容器機構を含み、前記容器機構の中は気球とクリーニング液箱とを含み、前記スプレー装置の中はまた押し機構を含み、前記押し機構が前記気球を押して前記クリーニング液箱の中のクリーニング液を噴射し、前記クリーニング箱の中には変位チャンバが設置され、前記変位チャンバの中には拭い装置が設置され、前記拭い装置の中は変位機構を含み、前記クリーニング箱の中には切換チャンバが設置され、前記切換チャンバの中には動力装置が設置され、前記動力装置が前記変位機構を駆動し、それによって前記拭い装置を連動させてＬＥＤライトを拭う。
【０００６】
好ましくは、前記容器機構は前記固定枠の前端面に固定的に設置された前記クリーニング液箱を含み、前記クリーニング液箱の中にはクリーニング液チャンバが設置され、前記クリーニング液箱の左側端面には連通パイプが固定的に設置され、前記連通パイプと前記クリーニング液チャンバとが連通しており、前記連通パイプと前記クリーニング液チャンバとの連通したところには上逆止め弁が固定的に設置され、前記連通パイプの左端には前記気球が連通するように設置され、前記気球には一方向吸気弁が設置され、前記クリーニング液箱の下端面にはスプレー管が固定的に設置され、前記スプレー管と前記クリーニング液チャンバとが連通しており、前記スプレー管と前記クリーニング液チャンバとの連通したところには下逆止め弁が固定的に設置されている。
【０００７】
前記押し機構は前記押しチャンバの後壁に固定的に設置された下板を含み、前記下板の中には上方に開口したばねチャンバが設置され、前記ばねチャンバの中には切換ブロックがスライドできるように設置され、前記切換ブロックの下端面と前記ばねチャンバの底壁との間が復帰ばねによって固定的に連結され、前記押しチャンバの左側内壁には第一スライド溝が設置され、前記第一スライド溝の中には第一スライドブロックがスライドできるように設置され、前記第一スライドブロックの下端面と前記第一スライド溝の底壁との間が第一ばねによって固定的に連結され、前記第一スライドブロックの右側端面には上板が固定的に設置され、前記上板の中には下方に開口した緩衝チャンバが設置され、前記緩衝チャンバの中には緩衝板がスライドできるように設置され、前記緩衝板の上端面と前記緩衝チャンバの頂壁との間が緩衝ばねによって固定的に連結され、前記緩衝ばねを圧縮することに所要の力は前記復帰ばねを圧縮することに所要の力より大きく、前記押しチャンバの左側内壁にはカム軸が回転できるように設置され、前記カム軸には第二プーリが固定的に設置され、前記カム軸の右端にはカムが固定的に設置され、前記カムが前記上板の上端面と当接している。
【０００８】
好ましくは、前記拭い装置は天井板の中に上下に貫通するように設置された連通溝を含み、前記連通溝の中には拭い枠がスライドできるように設置され、前記拭い枠の上側が前記変位チャンバの中に伸びており、前記拭い枠の下方枠の上端面にはスポンジが固定的に設置され、前記天井板の下端面には前後対称的に設置された封止板溝が設置され、前記封止板溝が前記天井板を貫通しており、前記拭い枠の下側端面には封止板が前後対称的に固定的に設置され、前記封止板が前記封止板溝の中に位置している。
【０００９】
前記変位機構は前記変位チャンバの両側内壁に回転できるように設置されたネジロッドを含み、前記ネジロッドには変位ブロックがネジ山によって連結され、前記変位ブロックの下端面の中には第一液圧シリンダーが固定的に設置され、前記第一液圧シリンダーの下端には第一液圧ロッドが動力が伝達できるように連結され、前記第一液圧ロッドの下端と前記拭い枠の上端面とが固定的に連結され、前記ネジロッドの右端が前記切換チャンバの中に伸びており、前記切換チャンバの中には前記ネジロッドの右端に固定的に連結された下ギヤが設置されている。
【００１０】
好ましくは、前記動力装置は前記切換チャンバの頂壁に設置された第二スライド溝を含み、前記第二スライド溝の中には切換スライドブロックがスライドできるように設置され、前記切換スライドブロックと前記第二スライド溝の左側内壁との間が第二ばねによって固定的に連結され、前記切換スライドブロックの下端面には定位板が固定的に設置され、前記定位板の右側端面には副斜めブロックが固定的に設置され、前記切換スライドブロックの下端面には斜めブロック板が固定的に設置され、前記斜めブロック板の右側端面には協働斜めブロックが固定的に設置され、前記切換チャンバの後壁には第三スライド溝が設置され、前記第三スライド溝の中には主斜めブロックがスライドできるように設置され、前記主斜めブロックの下端面と前記副斜めブロックの上端面とが当接しており、前記主斜めブロックの下端面には固定ブロックが固定的に設置され、前記固定ブロックの左側端面の中にはモーターが固定的に設置され、前記モーターの動力軸の左端には主ギヤが固定的に設置されている。
【００１１】
前記切換ブロックの左側端面には切換ロッドが固定的に連結され、前記切換ロッドの右端が前記切換チャンバの中に伸びており、前記切換チャンバの中には前記切換ロッドの上端に固定的に連結された下固定板が設置され、前記下固定板の上端面には復帰押しロッドが固定的に設置され、前記復帰押しロッドの上端と前記主斜めブロックの下端面と当接しており、前記下固定板の上端面には連結ロッドが固定的に設置され、前記連結ロッドの左側端面には押圧斜めブロックが固定的に設置され、前記押圧斜めブロックと前記協働斜めブロックとが当接しており、前記切換チャンバの左側内壁には伝動軸が回転できるように設置され、前記伝動軸には主プーリが固定的に設置され、前記主プーリと前記第二プーリとがベルトによって連結され、前記主プーリと前記第一プーリとがベルトによって連結されている。
【００１２】
前記切換チャンバの右側内壁には第二液圧シリンダーが固定的に設置され、前記第二液圧シリンダーの上端には第二液圧ロッドが動力が伝達できるように連結され、前記第二液圧ロッドの上端には押しブロックが固定的に設置されている。
【発明の効果】
【００１３】
以上により、本装置は機構が簡単で、使用が簡便であり、本装置を始動した後にライトを自動的にクリーニングでき、そのクリーニング過程は完全に自動的であり、クリーニング効率を大いに高め、ライトの位置が高すぎるためにクリーニングしにくい問題を避け、また人がクリーニングする時には感電や転倒などの発生を避ける。
【図面の簡単な説明】
【００１４】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の自動的にクリーニング可能なｌｅｄライトの全体構成概略図
【図２】図２は図１の中のＡ―Ａのところの構成概略図
【図３】図３は図２の中のＢのところの構成概略図
【発明を実施するための形態】
【００１６】
図１〜３に示すように、本発明装置の自動的にクリーニング可能なｌｅｄライトは、天井板１０及び前記天井板１０の上端面に固定的に設置されたクリーニング箱１１を含み、前記天井板１０の中にはＬＥＤライト５９が固定的に設置され、前記クリーニング箱１１の中には押しチャンバ１８が設置され、前記押しチャンバ１８の中にはスプレー装置１００が設置され、前記スプレー装置１００の中は伸び出し機構１０１を含み、前記伸び出し機構１０１は前記押しチャンバ１８の頂壁に回転できるように設置された中空軸２８を含み、前記中空軸２８の下端には第一プーリ２６が固定的に設置され、前記第一プーリ２６の中には親ねじ２７がネジ山によって連結され、前記天井板１０の中には上下に貫通している抜き穴６２が設置され、前記親ねじ２７の下端には前記抜き穴６２の内壁とスライドできるように連結された固定枠６７が固定的に設置され、前記スプレー装置１００の中はまた容器機構１０２を含み、前記容器機構１０２の中は気球２３とクリーニング液箱７０とを含み、前記スプレー装置１００の中はまた押し機構１０３を含み、前記押し機構１０３が前記気球２３を押して前記クリーニング液箱７０の中のクリーニング液を噴射し、前記クリーニング箱１１の中には変位チャンバ２９が設置され、前記変位チャンバ２９の中には拭い装置３００が設置され、前記拭い装置３００の中は変位機構３０１を含み、前記クリーニング箱１１の中には切換チャンバ５８が設置され、前記切換チャンバ５８の中には動力装置４００が設置され、前記動力装置４００が前記変位機構３０１を駆動し、それによって前記拭い装置３００を連動させてＬＥＤライト５９を拭う。
【００１７】
有益なように、前記容器機構１０２は前記固定枠６７の前端面に固定的に設置された前記クリーニング液箱７０を含み、前記クリーニング液箱７０の中にはクリーニング液チャンバ７１が設置され、前記クリーニング液箱７０の左側端面には連通パイプ６８が固定的に設置され、前記連通パイプ６８と前記クリーニング液チャンバ７１とが連通しており、前記連通パイプ６８と前記クリーニング液チャンバ７１との連通したところには上逆止め弁６９が固定的に設置され、前記連通パイプ６８の左端には前記気球２３が連通するように設置され、前記気球２３には一方向吸気弁が設置され、前記クリーニング液箱７０の下端面にはスプレー管７３が固定的に設置され、前記スプレー管７３と前記クリーニング液チャンバ７１とが連通しており、前記スプレー管７３と前記クリーニング液チャンバ７１との連通したところには下逆止め弁７２が固定的に設置されている。
【００１８】
前記押し機構１０３は前記押しチャンバ１８の後壁に固定的に設置された下板６３を含み、前記下板６３の中には上方に開口したばねチャンバ６５が設置され、前記ばねチャンバ６５の中には切換ブロック２５がスライドできるように設置され、前記切換ブロック２５の下端面と前記ばねチャンバ６５の底壁との間が復帰ばね６４によって固定的に連結され、前記押しチャンバ１８の左側内壁には第一スライド溝１２が設置され、前記第一スライド溝１２の中には第一スライドブロック１４がスライドできるように設置され、前記第一スライドブロック１４の下端面と前記第一スライド溝１２の底壁との間が第一ばね１３によって固定的に連結され、前記第一スライドブロック１４の右側端面には上板１５が固定的に設置され、前記上板１５の中には下方に開口した緩衝チャンバ２０が設置され、前記緩衝チャンバ２０の中には緩衝板２２がスライドできるように設置され、前記緩衝板２２の上端面と前記緩衝チャンバ２０の頂壁との間が緩衝ばね２１によって固定的に連結され、前記緩衝ばね２１を圧縮することに所要の力は前記復帰ばね６４を圧縮することに所要の力より大きく、前記押しチャンバ１８の左側内壁にはカム軸１６が回転できるように設置され、前記カム軸１６には第二プーリ１７が固定的に設置され、前記カム軸１６の右端にはカム１９が固定的に設置され、前記カム１９が前記上板１５の上端面と当接している。
【００１９】
有益なように、前記拭い装置３００は天井板１０の中に上下に貫通するように設置された連通溝６０を含み、前記連通溝６０の中には拭い枠３４がスライドできるように設置され、前記拭い枠３４の上側が前記変位チャンバ２９の中に伸びており、前記拭い枠３４の下方枠の上端面にはスポンジ６１が固定的に設置され、前記天井板１０の下端面には前後対称的に設置された封止板溝６６が設置され、前記封止板溝６６が前記天井板１０を貫通しており、前記拭い枠３４の下側端面には封止板７５が前後対称的に固定的に設置され、前記封止板７５が前記封止板溝６６の中に位置している。
【００２０】
前記変位機構３０１は前記変位チャンバ２９の両側内壁に回転できるように設置されたネジロッド３２を含み、前記ネジロッド３２には変位ブロック３０がネジ山によって連結され、前記変位ブロック３０の下端面の中には第一液圧シリンダー３１が固定的に設置され、前記第一液圧シリンダー３１の下端には第一液圧ロッド３３が動力が伝達できるように連結され、前記第一液圧ロッド３３の下端と前記拭い枠３４の上端面とが固定的に連結され、前記ネジロッド３２の右端が前記切換チャンバ５８の中に伸びており、前記切換チャンバ５８の中には前記ネジロッド３２の右端に固定的に連結された下ギヤ３５が設置されている。
【００２１】
有益なように、前記動力装置４００は前記切換チャンバ５８の頂壁に設置された第二スライド溝４０を含み、前記第二スライド溝４０の中には切換スライドブロック４３がスライドできるように設置され、前記切換スライドブロック４３と前記第二スライド溝４０の左側内壁との間が第二ばね４１によって固定的に連結され、前記切換スライドブロック４３の下端面には定位板４２が固定的に設置され、前記定位板４２の右側端面には副斜めブロック４７が固定的に設置され、前記切換スライドブロック４３の下端面には斜めブロック板４５が固定的に設置され、前記斜めブロック板４５の右側端面には協働斜めブロック５３が固定的に設置され、前記切換チャンバ５８の後壁には第三スライド溝５１が設置され、前記第三スライド溝５１の中には主斜めブロック４４がスライドできるように設置され、前記主斜めブロック４４の下端面と前記副斜めブロック４７の上端面とが当接しており、前記主斜めブロック４４の下端面には固定ブロック４９が固定的に設置され、前記固定ブロック４９の左側端面の中にはモーター４８が固定的に設置され、前記モーター４８の動力軸の左端には主ギヤ３６が固定的に設置されている。
【００２２】
前記切換ブロック２５の左側端面には切換ロッド２４が固定的に連結され、前記切換ロッド２４の右端が前記切換チャンバ５８の中に伸びており、前記切換チャンバ５８の中には前記切換ロッド２４の上端に固定的に連結された下固定板５４が設置され、前記下固定板５４の上端面には復帰押しロッド５０が固定的に設置され、前記復帰押しロッド５０の上端と前記主斜めブロック４４の下端面と当接しており、前記下固定板５４の上端面には連結ロッド５２が固定的に設置され、前記連結ロッド５２の左側端面には押圧斜めブロック４６が固定的に設置され、前記押圧斜めブロック４６と前記協働斜めブロック５３とが当接しており、前記切換チャンバ５８の左側内壁には伝動軸３８が回転できるように設置され、前記伝動軸３８には主プーリ３９が固定的に設置され、前記主プーリ３９と前記第二プーリ１７とがベルトによって連結され、前記主プーリ３９と前記第一プーリ２６とがベルトによって連結されている。
【００２３】
前記切換チャンバ５８の右側内壁には第二液圧シリンダー５６が固定的に設置され、前記第二液圧シリンダー５６の上端には第二液圧ロッド５５が動力が伝達できるように連結され、前記第二液圧ロッド５５の上端には押しブロック５７が固定的に設置されている。
【００２４】
その作動ステップは：
【００２５】
クリーニングし始める時、モーター４８を始動し、モーター４８が主ギヤ３６によって上ギヤ３７を回転連動させ、上ギヤ３７が伝動軸３８と主プーリ３９とによって第一プーリ２６を回転連動させ、主プーリ３９が第二プーリ１７を回転連動させ、第二プーリ１７がカム軸１６を回転連動させ、カム軸１６がカム１９を回転連動させ、カム１９が回転して上板１５を下方へ押し、第一プーリ２６が回転して親ねじ２７を下降させ、親ねじ２７が固定枠６７を下降連動させ、固定枠６７が気球２３を下降連動させ、気球２３が下板６３の上端面と当接するまで下降した時、上板１５が気球２３を押し、気球２３の中の気体がクリーニング液チャンバ７１の中に入ってクリーニング液チャンバ７１の中のクリーニング液を押し出し、クリーニング液がスプレー管７３によってＬＥＤライト５９の下端面に噴き付けられ、上板１５が下降して緩衝板２２に切換ブロック２５を下方へ押させ、切換ブロック２５が切換ロッド２４によって下固定ブロック５４を下降連動させ、下固定板５４が連結ロッド５２と押圧斜めブロック４６と協働斜めブロック５３と斜めブロック板４５とによって切換スライドブロック４３を片側へ推し動かし、切換スライドブロック４３が定位板４２によって副斜めブロック４７を連動させて主斜めブロック４４と当接しないようにさせ、第一液圧シリンダー３１が始動されて第一液圧シリンダー３３によって拭い枠３４を下降連動させてスポンジ６１の上端面をＬＥＤライト５９の下端面と同じレベルにさせ、主斜めブロック４４は重力の作用の下で下降して固定ブロック４９によって主ギヤ３６を連動させて下ギヤ３５と噛み合わせ、主ギヤ３６が下ギヤ３５を回転連動させ、下ギヤ３５がネジロッド３２を回転連動させ、ネジロッド３２が回転して変位ブロック３０に片側への平行移動を行わせ、それによってＬＥＤライトを拭ってクリーニングし、拭った後にモーター４８が逆方向へ回転し始め、それによって装置全体を復帰させる。
【００２６】
以上により、本装置は機構が簡単で、使用が簡便であり、本装置を始動した後にライトを自動的にクリーニングでき、そのクリーニング過程は完全に自動的であり、クリーニング効率を大いに高め、ライトの位置が高すぎるためにクリーニングしにくい問題を避け、また人がクリーニングする時には感電や転倒などの発生を避ける。
【００２７】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020175368.tif 000003
【図２】
2020175368.tif 000004
【図３】
2020175368.tif 000005